(57)【要約】      （修正有）【課題】帯状のプラスチックシートや粘着テープ等の簡易な包装材を採用しつつ、不正行為を有効に防止し得る包装容器を提供する。【解決手段】上向きに開口した容器本体１０と、該開口を閉塞する蓋体２０とを備えてなり、該容器本体１０には、底部１０１と、本体周壁部１０２と、本体第一フランジ部１０３と、本体第一垂下部１０４と、本体第二フランジ部１０５と、本体第二垂下部１０６とが備えられ、該蓋体２０には、蓋周壁部２０２と、蓋第一フランジ部２０３と、蓋内側垂下部２０９と、蓋第一垂下部２０４と、蓋第二フランジ部２０５と、蓋第二垂下部２０６と、該蓋体２０の周囲複数箇所において前記蓋第二フランジ部２０５と前記蓋第二垂下部２０６とに跨るように窪んだ第一窪み部２０８とが備えられたことを特徴とする包装容器１による。【選択図】図１
2010132302.tif 000002
【特許請求の範囲】
【請求項１】
上向きに開口した容器本体と、該開口を閉塞する蓋体とを備えてなり、
該容器本体には、底部と、該底部の周囲から起立した本体周壁部と、該本体周壁部上端から外方へ向けて延出した本体第一フランジ部と、該本体第一フランジ部の外周から垂下した本体第一垂下部と、該本体第一垂下部の下端から外方へ向けて延出した本体第二フランジ部と、該本体第二フランジ部の外周から垂下した本体第二垂下部とが備えられ、
該蓋体には、中央側から外側へ向かって傾斜した蓋周壁部と、前記本体第一フランジ部と当接される蓋第一フランジ部と、該蓋第一フランジ部の内周から垂下した蓋内側垂下部と、該蓋第一フランジ部の外周から垂下した蓋第一垂下部と、該蓋第一垂下部の下端から外方へ延出した蓋第二フランジ部と、該蓋第二フランジ部の外周から垂下した蓋第二垂下部と、該蓋体の周囲複数箇所において前記蓋第二フランジ部と前記蓋第二垂下部とに跨るように窪んだ第一窪み部とが備えられたことを特徴とする包装容器。
【請求項２】
前記蓋体には、該蓋体の周囲複数箇所において前記蓋第一垂下部と前記蓋第二フランジ部とに跨るように隆起した第一隆起部とが備えられたことを特徴とする請求項１記載の包装容器。
【請求項３】
前記蓋体には、該蓋体の周囲複数箇所において該蓋内側垂下部と前記蓋周壁部とに跨るように隆起した第二隆起部とが備えられたことを特徴とする請求項１又は２に記載の包装容器。
【請求項４】
前記蓋第二垂下部には、前記本体第二垂下部の先端と係合可能な係合突起が備えられたことを特徴とする請求項１〜３の何れかに記載の包装容器。
【請求項５】
前記包装容器が平面視矩形状であり、該矩形の少なくとも角部において、前記本体第一垂下部と前記蓋第一垂下部とが、互いに係止し得る構成を備えたことを特徴とする請求項１〜４の何れかに記載の包装容器。
【発明の詳細な説明】
【技術分野】
【０００１】
本発明は、主として種々の加工食品等を収容し、例えば弁当として陳列棚等に陳列し、販売に供することに適した包装容器に関する。
【背景技術】
【０００２】
惣菜や弁当素材等の種々の加工食品を包装するための包装容器として、合成樹脂シートを熱成形した容器が知られている。この種の容器は、軽量でありながらも優れた強度を有し、使用するプラスチック材料の使用量をできるだけ削減して包装を簡素化するという要望に適した包装容器であるといえる。
しかるに、この種の包装容器が実際に陳列棚等で陳列、販売される場合には、主として内容物の衛生状態を保つことを目的として、容器本体に蓋体とを被せるとともに、その上から、ラッピング材等を用いて容器全体をに覆った状態として陳列、販売されることが多かった。
【０００３】
しかしながら、このような容器全体を覆うようなラッピング材の使用は、包装材の使用量が増して地球環境保護の観点から望ましくないという問題がある。
【０００４】
そこで従来、包装材の使用量を低減するべく、容器全体を覆うラッピング材に代えて、容器中央付近に巻きつける帯状のプラスチックシートを使用するようにした包装容器（下記特許文献１等）や、蓋体と容器本体とを部分的に粘着テープで止めるようにした包装容器（下記特許文献２等）などが提案されている。
【０００５】
【特許文献１】特開２００５−３５６１４号公報
【特許文献２】特開２００８−２２２３０４号公報
【発明の開示】
【発明が解決しようとする課題】
【０００６】
しかしながら、上記のような帯状のプラスチックシートや粘着テープを使用した包装容器においては、蓋体を部分的に開封して内容物に悪戯を加えるといった不正行為が比較的容易となる。
【０００７】
本発明は、上記のような従来技術の問題点に鑑み、帯状のプラスチックシートや粘着テープ等の簡易な包装材を採用しつつ、不正行為の防止に有効な包装容器を提供することを目的とする。
【課題を解決するための手段】
【０００８】
本発明に係る包装容器は、上向きに開口した容器本体と、該開口を閉塞する蓋体とを備えてなり、該容器本体には、底部と、該底部の周囲から起立した本体周壁部と、該本体周壁部上端から外方へ向けて延出した本体第一フランジ部と、該本体第一フランジ部の外周から垂下した本体第一垂下部と、該本体第一垂下部の下端から外方へ向けて延出した本体第二フランジ部と、該本体第二フランジ部の外周から垂下した本体第二垂下部とが備えられ、該蓋体には、中央側から外側へ向かって傾斜した蓋周壁部と、前記本体第一フランジ部と当接される蓋第一フランジ部と、蓋第一フランジ部の内周から垂下した蓋内側垂下部と、該蓋第一フランジ部の外周から垂下した蓋第一垂下部と、該蓋第一垂下部の下端から外方へ延出した蓋第二フランジ部と、該蓋第二フランジ部の外周から垂下した蓋第二垂下部と、該蓋体の周囲複数箇所において前記蓋第二フランジ部と前記蓋第二垂下部とに跨るように窪んだ第一窪み部とが備えられたことを特徴とする。
【０００９】
斯かる構成の包装容器によれば、本体第一フランジ部と蓋第一フランジ部、本体第一垂下部と蓋第一垂下部、本体第二フランジ部と蓋第二フランジ部、および本体第二垂下部と蓋第二垂下部が、それぞれ当接した構成となるため、容器の密封状態がより確実なものとなる。また、蓋内側垂下部と蓋第一フランジ部と蓋第一垂下部とを備えたことにより、これらが断面逆Ｕ字状の環状隆起部を構成することとなるため、容器の一部に備えた粘着テープ等による蓋固定作用が蓋体の全周に及ぶこととなり、蓋体を持ち上げて不正行為を働くことを有効に防止し得る。
さらに、該蓋体の周囲複数箇所において前記蓋第二フランジ部と前記蓋第二垂下部とに跨るように窪んだ第一窪み部が備えられたことにより、この第一隆起部がリブの如く作用し、蓋第二垂下部と蓋第二フランジ部とのなす角度を維持し、両者を離間させにくくする。つまり、不正行為を働こうとして蓋第二垂下部を捲り上げようとしても、該第一窪み部が蓋第二垂下部の上方への折れ曲がりを抑制し、不正行為をより一層効果的に防止し得る。
【００１０】
本発明に係る包装容器は、好ましくは、前記蓋体に、蓋体の周囲複数箇所において前記蓋第一垂下部と前記蓋第二フランジ部とに跨るように隆起した第一隆起部が備えられたものとする。
【００１１】
斯かる構成の包装容器によれば、蓋体の周囲複数箇所において前記蓋第一垂下部と前記蓋第二フランジ部とに跨るように蓋体の外側に向けて隆起した第一隆起部が備えられたことにより、この第一隆起部がリブの如く作用し、蓋第一垂下部と蓋第二フランジ部との角度を維持し、両者を近接させにくくする。つまり、不正行為を働こうとして蓋第二フランジ部を捲り上げようとしても、該第一隆起部が蓋第二フランジ部の上方への折れ曲がりを抑制し、不正行為をより一層効果的に防止し得る。
【００１２】
本発明に係る包装容器は、好ましくは、該蓋体の周囲複数箇所において該蓋内側垂下部と前記蓋周壁部とに跨るように隆起した第二隆起部とが備えられたものとする。
【００１３】
斯かる構成の包装容器によれば、蓋体の周囲複数箇所において蓋内側垂下部と蓋周壁部とに跨るように隆起した第二隆起部が備えられたことにより、この第二隆起部がリブの如く作用し、蓋内側垂下部と蓋周壁部との角度を維持し、両者を近接させにくくする。つまり、不正行為を働こうとして蓋内側垂下部を内側へ折り曲げようとしても、該第二隆起部が蓋内側垂下部の内方への折れ曲がりを抑制し、不正行為をより一層効果的に防止し得る。
【００１４】
また、本発明に係る包装容器は、好ましくは、前記蓋第二垂下部に、本体第二垂下部の先端と係合可能な係合突起が備えられたものとする。
【００１５】
斯かる構成の包装容器によれば、本体第二垂下部の先端と係合可能な係合突起が備えられたことにより、該係合突起と本体第二垂下部の先端とが係合し、前記蓋第二垂下部が上方へ移動することを抑制するため、本体第二垂下部を捲り上げて不正行為を働くことを防止し得る。
【００１６】
さらに、本発明に係る包装容器は、好ましくは、前記包装容器が平面視矩形状であり、前記本体第一垂下部と前記蓋第一垂下部とが、互いに係止し得る構成を備えたものとする。前記本体第一垂下部と前記蓋第一垂下部とが、互いに係止し得る構成を備えたことにより、蓋体と容器本体との係合が二重となり、さらに効果的に不正行為を防止し得る。
【発明の効果】
【００１７】
このように、本発明に係る包装容器によれば、帯状のプラスチックシートや粘着テープ等の簡易な包装材を採用した場合であっても、容器の蓋が容易に捲り上げられにくい構造となるため、不正行為を有効に防止することが可能となる。
【発明を実施するための最良の形態】
【００１８】
図１は、本発明に係る包装容器の一実施形態を示した斜視図であって、包装容器１の容器本体１０と蓋体２０と上下に取り外した状態を示したものである。また、図２は、該包装容器１の上面図である。なお、本発明において、外方とは、容器の内側から容器の外側へ向かって略水平に延びる方向をいう。
図１に示す如く、本実施形態に係る包装容器１は、略矩形状の容器本体１と、該容器本体１の開口を閉塞する蓋体２０と備えたものであり、矩形の四辺中央部で容器本体１０と蓋体２０とを接着テープ３０、・・・で止めるようにして使用される形態を示している。
【００１９】
前記容器本体１０は、食材等を載置する略矩形状の底部１０１と、該底部１０１の周囲から斜め上方へ向かって起立した本体周壁部１０２と、該本体周壁部１０２の上端から外方へ水平に延びた本体第一フランジ部１０３と、該本体第一フランジ部１０３の周囲から垂下した本体第一垂下部１０４と、該本体第一垂下部１０４の下端から外方へと水平に延びた本体第二フランジ部１０５と、該本体第二フランジ部１０５の周囲から垂下した本体第二垂下部１０６とを備えている。
尚、本発明において「垂下する」とは、厳密に鉛直方向に垂下する場合に限定されず、傾斜角度を有して下方へ傾斜する場合をも含む概念である。
【００２０】
一方、前記蓋体２０は、図１及び図２に示す如く、前記底部１０１に対向する天板部２０１と、該天板部２０１の周囲から外方へ向かって傾斜した蓋周壁部２０２を備えている。さらに、該蓋体２０は、該蓋周壁部２０２の外側に、閉塞時において前記本体第一フランジ部１０３と当接する蓋第一フランジ部２０３と、蓋第一フランジ部２０３の内周から垂下する蓋内側垂下部２０９が備えられており、言い換えると、該蓋内側垂下部２０９と前記蓋周壁部２０２とで断面Ｖ字状の溝が形成された状態となっている。
さらに、該蓋体２０は、該蓋第一フランジ部２０３から垂下した蓋第一垂下部２０４と、該蓋第一垂下部２０４の下端から外方へ略水平に延びた蓋第二フランジ部２０５と、該蓋第二フランジ部２０５の周囲から垂下した蓋第二垂下部２０６とを備えている。
【００２１】
つまり、本実施形態に係る包装容器１は、前記容器本体１０と前記蓋体２０とが、前記本体第一フランジ部１０３と前記蓋第一フランジ部２０３とで当接し、前記本体第一垂下部２０４と前記蓋第一垂下部２０４とが略平行に延び、前記本体第二フランジ部１０５と前記蓋第二フランジ部２０５とで当接し、前記本体第二垂下部１０６と前記蓋第二垂下部２０６とが略平行に延びるようにして構成されている。
【００２２】
斯かる構成の包装容器１において、本発明の特徴の一つである第一隆起部２０７，…が、該蓋体２０の周囲複数箇所において、前記蓋第一垂下部２０４と前記蓋第二フランジ部２０５とに跨るように、部分的に隆起して形成されており、また、本発明の特徴の一つである第一窪み部２０８，…が、該蓋体２０の周囲複数箇所において、前記蓋第二フランジ部２０５と前記蓋第二垂下部２０６とに跨るように、部分的に隆起して形成されている。
【００２３】
さらに、本実施形態に係る包装容器１には、本発明の特徴の一つである第二隆起部２０９，…が、該蓋体２０の周囲複数箇所において、蓋内側垂下部２０９と前記蓋周壁部２０２とに跨るように隆起して形成されている。
【００２４】
ここで、該図１及び図２に加え、該図２の符号III-IIIで示される部分の矢視断面拡大図である図３、図２の符号IV−IVで示される部分の矢視断面拡大図である図４、Ｖ−Ｖで示される部分の矢視断面拡大図である図５、及びVI−VIで示される部分の矢視断面拡大図である図６を参照することにより、本実施形態に係る包装容器１についてより詳細に説明する。
【００２５】
図３に示す如く、本実施形態における蓋体２０には、蓋第一フランジ部２０３と、該蓋第一フランジ部２０３の内周から垂下した蓋内側垂下部２０９と、蓋第一フランジ部２０３の外周から垂下した蓋第一垂下部２０４とが、蓋体２０の全周に亘って環状に備えらいる。即ち、これら蓋第一垂下部２０９、蓋第一フランジ部２０３及び蓋第一垂下部２０４は、全体として、断面逆Ｕ時状の環状隆起部２２０を構成している。
この環状隆起部２２０は、例えば蓋体２０の四辺中央部に貼り付けられる上記粘着テープ３０，・・・による蓋体２０の固定作用を、四辺中央部以外の部分にも波及させるとともに、蓋体２０の変形を防止し、該蓋体２０を持ち上げて不正行為を働くことを有効に防止し得るという効果を奏するものである。
【００２６】
図２の符号IV−IVで示される部分の矢視断面拡大図である図４は、図２からも明らかなように、前記蓋第一隆起部２０７の中央を通る蓋径方向縦断面図である。該図４に示す如く、本実施形態における蓋第一隆起部２０７，・・・は、その中央部において、蓋第一垂下部２０４の上端近傍と蓋第二フランジ部２０５の外周縁近傍とを直線的に結ぶような傾斜面を有するような蓋径方向縦断面形状となっている。なお、上記「蓋径方向縦断面」とは、蓋の外周縁と垂直に交わる断面をいい、以下同様である。
【００２７】
また、該第一隆起部２０７の蓋周方向における間隔は、蓋体２０の可撓性にもよるが、通常、２〜６ｃｍの間隔で設けられる。
【００２８】
このような断面形状を有する、外側へ膨出した第一隆起部２０７，・・・を備えたことにより、この傾斜面が、蓋第一垂下部２０４の上端近傍（即ち、蓋第一フランジ部２０３の外周縁）と蓋第二フランジ部２０５の周縁付近とが互いに近接され難くなり、蓋第二フランジ部２０５が上方へ折れ曲がり難くなるという作用がある。
【００２９】
また、本実施形態における第一隆起部２０７，・・・は、図１に示す如く、水平断面における断面形状が円弧状であり、下方に向かって拡径したような形状、言い換えると、円錐を鉛直方向に切断したような形状で蓋第一垂下部２０４及び蓋第二フランジ部２０５から隆起した構成となっている。
斯かる構成の第一隆起部２０７，・・・を備えたことにより、不正行為を防止し得ると同時に、該蓋体２０が積層しやすいものとなるため、保管及び運搬の際のスペース効率を向上させ得るという効果が発揮される。
【００３０】
図２の符号Ｖ−Ｖで示される部分の矢視断面拡大図である図５は、図２からも明らかなように、前記第一窪み部２０８の中央を通る蓋径方向縦断面図である。該図５に示す如く、本実施形態における第一窪み部２０８は、その中央部において、蓋第二フランジ部２０５の内周縁近傍から垂下し、さらに外方へ略水平に延びて蓋第二垂下部２０６の中央部近傍に達するような断面形状となっている。また、本実施形態における第一窪み部２０８，・・・は、図１から明らかなように、蓋体２０の周方向縦断面（前記蓋径方向縦断面と直角に交差する鉛直面）がＵ字状であり、水平断面が円弧状であるように構成され、言い換えると、円柱の一部分を構成するような形状で蓋第二フランジ部２０５及び蓋第二垂下部２０６から内方へ窪んだ状態となっている。
【００３１】
斯かる構成の第一窪み部２０８，・・・を備えたことにより、蓋第二垂下部２０６と蓋第二フランジ部２０５とが互いに離間され難くなり、蓋第二垂下部２０６が上方へ折れ曲がり難くなるという作用がある。
【００３２】
また、該第一窪み部２０８の蓋周方向における間隔は、前記第一隆起部２０７と同様に設定することができ、好ましくは、前記第一隆起部２０７の中間に位置するように設けられる。つまり本実施形態に係る包装容器のように、前記第一隆起部２０７，…と前記第一窪み部２０８，…とが、前記蓋体２０の周囲において交互に備えられたものとすることにより、これら第一隆起部２０７，…および第一窪み部２０８，…による作用が好適に組み合わされ、蓋第二垂下部２０６と蓋第二フランジ部２０５とが、ともに捲り上げ難い構成となるため、不正行為をより効果的に防止し得るという効果がある。
【００３３】
さらに、図２の符号VI−VIで示される部分の矢視断面拡大図である図６は、図２からも明らかなように、前記第二隆起部２１０の中央を通る蓋径方向縦断面図である。図６に示す如く、本実施形態における第二隆起部は、その中央部において、蓋内側垂下部２０９の上端近傍から蓋周壁部２０２へと水平に延びる直線状の断面形状を有して構成されている。このような断面形状の第二隆起部２１０，・・・を備えたことにより、蓋内側垂下部２０９の上端近傍（即ち、蓋第一フランジ部２０３の内周縁近傍）と蓋周壁部２０２とが互いに近接され難くなり、蓋内側垂下部２０９が内側へ折れ曲がり難い構成となっている。
【００３４】
また、本実施形態における第二隆起部２１０，・・・は、図１からわかるように、単独では蓋周方向縦断面が弧状であるような形状を有し、蓋周方向に連続して形成されたことにより、全体として蓋周方向縦断面が波形状であるような形状を有して構成されている。このような断面形状の第二隆起部２１０，・・・を備えたことにより、蓋内側垂下部２０９を内側へ折れ曲げようとする力を周方向左右へ分散し、より確実に不正行為を防止し得るという効果がある。
【００３５】
さらに、本実施形態に係る包装容器１の蓋体２０には、図２及び図４に示す如く、前記蓋第二垂下部２０６の下側部分が、該蓋体２０の周囲複数箇所において内側へ窪んで形成された係合突起２１１，…が備えられている。該係合突起２１１，…は、本体第二垂下部１０６の先端（即ち、容器本体１０の外縁）と係合するように、該本体第二垂下部の先端よりも内側へ突出するように構成されており、これによって前記蓋第二垂下部２０６の上方への移動を規制し、蓋体２０の外縁を捲り上げ難くするという効果がある。
【００３６】
さらに、平面視矩形状である本実施形態の包装容器１には、前記本体第一垂下部１０４と前記蓋第一垂下部２０４とが、互いに係止し得る構成を備えており、具体的には、図２に示す如く、前記本体第一垂下部１０４の四隅角部には外方へ突出した係合突起１１２が備えられ、また、これと対応して、蓋第一垂下部２０４の四隅角部には、内側へ窪んだ係合突起２１２が備えられている。斯かる構成により、蓋体２０に備えた係合突起２１２と容器本体１０に備えた係合突起１１２とが係合し合い、蓋体２０と容器本体１０とを簡便に固定及び離間させ得るという効果がある。
【００３７】
また、本実施形態に係る包装容器１には、容器本体１０の本体第二垂下部１０６の下端縁や、蓋体２０の蓋第二垂下部２０６の下端縁に、周方向において多数の微細な凹凸（図示しない）が交互に形成されており、これら本体第二垂下部１０６の下端縁（エッジ）や蓋第二垂下部２０６の下端縁（エッジ）で誤って手が切れないように構成されている。すなわち、容器本体１０や蓋体２０の周囲には、波形加工やエンボス加工等の凹凸加工により、全体が厚み方向に凹凸状（波形、正弦波、三角波、台形波等）に成形加工が施されている。
【００３８】
なお、特に言及していないが、本実施形態における容器本体１０および蓋体２０は、例えば熱成型法によって成形され得るものであり、上述の各部の境界部分は連続しており、また、必要に応じた曲率半径で湾曲した（丸みを持たせた）態様で形成されている。
【００３９】
本実施形態に係る包装容器１は、例えば、弁当素材等の食品を容器本体１０に収容した後、蓋体２０を被せ、該包装容器の四辺中央部に粘着テープ３０，・・・を貼り付け、該容器本体１０と該蓋体２０とを固定する、という手順で使用され、食品入り容器が製造される。従って、このような食品入り容器として陳列棚等に陳列して販売に供される包装容器１は、四辺の中央部では粘着テープ３０，・・・によって容器本体１０と蓋体２０とが強力に密着され、該粘着テープ３０を切断又は剥離しない限り、蓋体２０の端部を持ち上げることができない状態となるが、四辺の中央部以外の部分では、上記のような粘着テープ３０が存在しないため、容器本体１０と蓋体２０とを密着させる力が中央部よりも比較的弱い状態となる。
しかしながら、本実施形態に係る包装容器１によれば、上記のような構成を備えたものであるため、粘着テープ３０を貼り付ける四辺の中央部以外の部分でも、従来の包装容器と比較して、より確実に容器の蓋の捲り上げを防止し得る構成となっている。
【００４０】
具体的には、環状隆起部２２０によって粘着テープ３０等による蓋固定作用を蓋体の全周に波及させ、第一隆起部２０７，・・・によって蓋第二フランジ部２０５の上方への折れ曲がりを抑制し、第一窪み部２０８，・・・によって蓋第二垂下部２０６の上方への折れ曲がりを抑制し、第二隆起部２１０，・・・によって蓋内側垂下部２０９の内側への折れ曲がりを抑制し、さらに、係合突起２１１，・・・によって蓋第一垂下部２０４の上方への移動と蓋第二垂下部２０６の上方への移動を抑制し、これらの作用を組み合わせたことにより、四辺の中央部以外の部分でも、粘着テープ３０を貼り付けた中央部に近い状態で容器本体１０と蓋体２０との密着を維持し得るようになる。
【００４１】
また、本実施形態に係る包装容器１では、容器本体１０及び蓋体２０の両方に、二重のフランジ部が備えられ、しかも、内側のフランジ部である本体第一フランジ部１０３及び蓋第一フランジ部２０３には、何ら凹凸形状を形成することなく上記作用効果を発揮し得るため、不正行為防止のみならず、優れた密封性が発揮されるという効果がある。
【００４２】
尚、本発明に係る包装容器は、上記実施形態に限定されるものではなく、本発明の要旨を逸脱しない範囲内において種々変更を加え得ることは勿論である。
【００４３】
例えば、上記実施形態では、包装容器１の四辺中央部が粘着テープ３０，・・・で固定されて食品入り容器とされる場合について説明したが、本発明はこれに限定されず、包装容器１を、長辺の中央部で該容器を縦方向に巻回して固定する締着テープなどを使用する態様にも適用し得るものであり、このような場合においても、上記実施形態と同様に不正行為を有効に防止することができる。
【００４４】
また、上記実施形態では、第一隆起部の形状を、水平断面が円弧状であり、下方に向かって拡径したような形状としたが、本発明は係る形状に限定されず、例えば、水平断面がＵ字状やＶ字状で下方に向かって拡径したような形状や、或いは、水平断面が円弧状、Ｕ字状、又はＶ字状であって上方から下方にかけて同一寸法であるような形状などを採用することもできる。
【００４５】
また、第一窪み部、第二隆起部、及び係合突起の形状についても同様であり、上記実施形態と同様の作用効果を発揮しうる種々の形状とすることができる。例えば、第二隆起部の他の形態としては、単独では蓋周方向縦断面が山形であるような形状を有し、蓋周方向に連続して形成されたことにより、全体として蓋周方向縦断面が連続した山形状であるような形状を有したものを採用することもできる。
【００４６】
また、上記実施形態では、前記本体第一垂下部１０４の四隅角部に外方へ突出した係合突起１１２を設けた場合について説明したが、このような係合突起は、角部以外の部分に設けても良い。
【００４７】
また、上記実施形態では、容器本体１０及び蓋体２０が矩形状である場合について説明したが、本発明は容器の水平断面形状については何ら限定されず、任意の形状を採用することができ、例えば、多角形状や、楕円形、或いは円形等を採用しうる。
【図面の簡単な説明】
【００４８】
【図１】本発明に係る包装容器の一実施形態を示した斜視図であり、容器本体と蓋体とを上下に外した状態を示した図。
【図２】本発明に係る包装容器を上方から見た平面図。
【図３】図２の符号III-IIIで示される部分の矢視断面拡大図。
【図４】図２の符号IV-IVで示される部分の矢視断面拡大図。
【図５】図２の符号Ｖ-Ｖで示される部分の矢視断面拡大図。
【図６】図２の符号VI-VIで示される部分の矢視断面拡大図。
【符号の説明】
【００４９】
１…包装容器、１０…容器本体、２０…蓋体、３０・・・粘着テープ、１０１…底部、１０２…本体周壁部、１０３…本体第一フランジ部、１０４…本体第一垂下部、１０５…本体第二フランジ部、１０６…本体第二垂下部、１１２・・・係合突起、２０１…天板部、２０２…蓋周壁部、２０３…蓋第一フランジ部、２０４…蓋第一垂下部、２０５…蓋第二フランジ部、２０６・・・蓋第二垂下部、２０７・・・第一隆起部、２０８・・・第一窪み部、２０９・・・蓋内側垂下部、２１０・・・第二隆起部、２１１・・・係合突起、２１２・・・係合突起、２２０・・・環状隆起部
【図１】
2010132302.tif 000003
【図２】
2010132302.tif 000004
【図３】
2010132302.tif 000005
【図４】
2010132302.tif 000006
【図５】
2010132302.tif 000007
【図６】
2010132302.tif 000008